(57)【要約】【課題】  コストを抑えたまま、固体撮像素子の欠陥画素に対する補正を高精度に且つ短時間で行なうことができる撮影装置を提供する。【解決手段】  ＣＣＤ１１４上の所定の座標の受光センサの所定位置での傷レベルに応じた値である、常温時における傷レベルを高温時における傷レベルに換算した値をＥ2ＰＲＯＭ１３３に記憶しておき、ＣＣＤ１１４の、温度に応じてレベルが変化する傷のレベルを傷レベル検出部１３１で検出し、検出された傷レベルが、記憶されている値に応じた所定レベルを越えていたときに傷補正部１３２で画像データの傷補正を行なう。【選択図】  図５
2007006103.tif 000002
【特許請求の範囲】
【請求項１】
固体撮像素子上に被写体像を結像して画像データを生成する撮影装置において、
前記固体撮像素子の、温度に応じてレベルが変化する傷のレベルを検出する傷レベル検出部と、
前記傷レベル検出部により検出された傷レベルが所定レベルを越えていたときに画像データの傷補正を行なう傷補正部とを備えたことを特徴とする撮影装置。
【請求項２】
前記傷補正部は、前記傷レベル検出部で検出された傷レベルおよび前記所定のレベルのうちの少なくとも一方を電子シャッタのシャッタ速度に基づいて補正し、その補正後の傷レベルが所定レベルを越えていたときに画像データの傷補正を行なうものであることを特徴とする請求項１記載の撮影装置。
【請求項３】
前記傷補正部は、前記固体撮像素子上の所定の座標の受光センサの所定位置での傷レベルに応じた値を記憶しておき、前記傷レベル検出部で検出された傷レベルが、該値に応じた所定レベルを越えていたときに画像データの傷補正を行なうものであることを特徴とする請求項１記載の撮影装置。
【請求項４】
固体撮像素子上に被写体像を結像して画像データを生成する撮影装置において、
前記固体撮像素子の、温度に応じてレベルが変化する傷のレベルを検出する傷レベル検出部と、
前記傷レベル検出部により検出された傷レベルが所定レベルを越えていたときに暗電流補正を行なう暗電流補正部とを備えたことを特徴とする撮影装置。
【請求項５】
前記暗電流補正部は、前記傷レベル検出部で検出された傷レベルおよび前記所定のレベルのうちの少なくとも一方を電子シャッタのシャッタ速度に基づいて補正し、その補正後の傷レベルが所定レベルを越えていたときに暗電流補正を行なうものであることを特徴とする請求項４記載の撮影装置。
【請求項６】
固体撮像素子上に被写体像を結像して画像データを生成する撮影装置において、
前記固体撮像素子の、温度に応じてレベルが変化する傷のレベルを検出する傷レベル検出部と、
前記傷レベル検出部により検出された傷レベルが所定レベルを越えていたときに画像データ上で黒レベル補正を行なう黒レベル補正部とを備えたことを特徴とする撮影装置。
【請求項７】
前記黒レベル補正部は、前記傷レベル検出部で検出された傷レベルおよび前記所定のレベルのうちの少なくとも一方を電子シャッタのシャッタ速度に基づいて補正し、その補正後の傷レベルが所定レベルを越えていたときに黒レベル補正を行なうものであることを特徴とする請求項６記載の撮影装置。
【発明の詳細な説明】
【技術分野】
【０００１】
本発明は、固体撮像素子上に被写体像を結像して画像データを生成する撮影装置に関する。
【背景技術】
【０００２】
従来より、デジタルカメラ等の撮影装置には、撮影レンズを通ってきた入射光を電気信号に変換する撮像素子として、固体撮像素子（ＣＣＤ：Ｃｈａｒｇｅ  Ｃｏｕｐｌｅｄ  Ｄｅｖｉｃｅ）が広く用いられている。近年、ＣＣＤの益々の微細化に伴い、ＣＣＤの画素数も益々増大する傾向にある。また、ＣＣＤの微細化に伴う感度の低下や、カメラの高感度により、ＣＣＤの画素欠陥が目立つようになってきた。このため、ＣＣＤの画素欠陥に対する補正は重要である。ここで、ＣＣＤの画素欠陥として、温度白傷と称されるものがあり、この温度白傷は、ＣＣＤを構成するフォトダイオード等の欠損により電子が漏れ込むために発生し、ＣＣＤの温度変化や露光時間の長短によって影響を受ける動的な画素欠陥である。例えば、温度が８℃上昇すると、ＣＣＤが遮光された状態における画素の出力電圧レベルはおよそ２倍になる。そこで、特許文献１には、ＣＣＤにサーミスタを取付けて温度を検出し、検出された温度に応じて、該当する欠陥画素について補間演算を行なってその欠陥画素に対する画像データの傷補正を行なう技術が提案されている。
【特許文献１】特開平１１−１１２８７９号公報
【発明の開示】
【発明が解決しようとする課題】
【０００３】
しかし、上述した特許文献１に提案された技術では、ＣＣＤの温度白傷に起因する画像データの補正にあたり、ＣＣＤにサーミスタを取付ける必要がある。このため、サーミスタやサーミスタを取付けるための作業工程が必要であり、コストアップするという問題がある。また、サーミスタそれぞれの特性のバラツキや、サーミスタの取付け精度のバラツキに起因して、検出する温度が異なるため、画像データの傷補正の精度がばらつくという問題もある。
【０００４】
本発明は、上記事情に鑑み、コストを抑えたまま、固体撮像素子の欠陥画素に対する補正を高精度に且つ短時間で行なうことができる撮影装置を提供することを目的とする。
【課題を解決するための手段】
【０００５】
上記目的を達成する本発明の撮影装置のうちの第１の撮影装置は、固体撮像素子上に被写体像を結像して画像データを生成する撮影装置において、
上記固体撮像素子の、温度に応じてレベルが変化する傷のレベルを検出する傷レベル検出部と、
上記傷レベル検出部により検出された傷レベルが所定レベルを越えていたときに画像データの傷補正を行なう傷補正部とを備えたことを特徴とする。
【０００６】
固体撮像素子の画素欠陥としては、その固体撮像素子を構成するフォトダイオードの欠損等により電子が漏れ込むために発生する温度白傷と称される傷がある。この傷は、温度が８℃上昇すると、その固体撮像素子が遮光された状態における画素の出力電圧レベルはおよそ２倍になる。このため、画像データの、温度に応じた傷補正が必要とされる。
【０００７】
本発明の第１の撮影装置は、固体撮像素子の、温度に応じてレベルが変化する傷のレベルを検出し、検出された傷レベルが所定レベルを越えていたときに画像データの傷補正を行なうものである。このため、上述した特許文献１に提案された、ＣＣＤにサーミスタを取付ける技術と比較し、サーミスタやサーミスタを取付けるための作業工程は不要であり、且つサーミスタそれぞれの特性や取付け精度のバラツキに起因して画像データの傷補正の精度がばらつくという問題も解消される。また、例えば高温時に欠陥画素となる画素に対してのみ画像データの傷補正を行なうことにより、不要な画像データの傷補正が行なわれることを避けることができる。このため、コストを抑えたまま、画像データの、温度に応じた傷補正を高精度に且つ短時間で行なうことができる。従って、良好な撮影画像が得られるとともに撮影時間を短縮することができる。
【０００８】
ここで、上記傷補正部は、上記傷レベル検出部で検出された傷レベルおよび上記所定のレベルのうちの少なくとも一方を電子シャッタのシャッタ速度に基づいて補正し、その補正後の傷レベルが所定レベルを越えていたときに画像データの傷補正を行なうものであることが好ましい。
【０００９】
固体撮像素子の画素欠陥である傷（温度白傷）は、その固体撮像素子における露光時間の長短によっても影響を受ける。例えば、電子シャッタのシャッタ速度が２倍（露光時間が半分）になると、傷に起因する電子の漏れ量もおよそ半分になる。従って、傷レベルも半分になる。そこで、電子シャッタのシャッタ速度に基づいて補正された傷レベルが所定レベルを越えていたときに画像データの傷補正を行なうと、画像データの傷補正をさらに高精度に行なうことができる。
【００１０】
また、上記傷補正部は、上記固体撮像素子上の所定の座標の受光センサの所定位置での傷レベルに応じた値を記憶しておき、上記傷レベル検出部で検出された傷レベルが、その値に応じた所定レベルを越えていたときに画像データの傷補正を行なうものであることが好ましい。
【００１１】
このように、温度に応じて検出された傷レベルが、あらかじめ記憶されている値（固体撮像素子上の所定の座標の受光センサの所定位置での傷レベルに応じた値）に応じた所定レベルを越えていたときに、画像データの傷補正を行なうと、画像データの、温度に対する傷補正を行なうための演算を、迅速に且つ簡単に行なうことができる。尚、記憶する値としては、常温時における傷レベルを高温時における傷レベルに換算したものが用いられる。また、所定レベルは、傷レベルそのものであってもよいし、あるいは傷レベルを換算した閾値であってもよい。
【００１２】
また、上記目的を達成する本発明の撮影装置のうちの第２の撮影装置は、固体撮像素子上に被写体像を結像して画像データを生成する撮影装置において、
上記固体撮像素子の、温度に応じてレベルが変化する傷のレベルを検出する傷レベル検出部と、
上記傷レベル検出部により検出された傷レベルが所定レベルを越えていたときに暗電流補正を行なう暗電流補正部とを備えたことを特徴とする。
【００１３】
固体撮像素子には、傷のレベルに依存する暗電流が流れる。この暗電流は、温度が８℃上昇するとおよそ２倍になり微妙な画像データを取り扱う固体撮像素子ではノイズの原因となるので、暗電流の、温度に応じた補正が必要とされる。
【００１４】
本発明の第２の撮影装置は、固体撮像素子の、温度に応じてレベルが変化する傷のレベルを検出し、検出された傷レベルが所定レベルを越えていたときに暗電流補正を行なうものである。このため、上述した特許文献１に提案された、ＣＣＤにサーミスタを取付ける技術を採用した場合と比較し、サーミスタやサーミスタを取付けるための作業工程は不要であり、且つサーミスタそれぞれの特性や取付け精度のバラツキに起因して暗電流補正の精度がばらつくという問題も解消される。また、高温時に増加する暗電流に対して暗電流補正を行なうことにより、不要な暗電流補正が行なわれることを避けることができる。このため、コストを抑えたまま、暗電流の、温度に応じた補正を高精度に且つ短時間で行なうことができる。従って、良好な撮影画像が得られるとともに撮影時間を短縮することができる。
【００１５】
ここで、上記暗電流補正部は、上記傷レベル検出部で検出された傷レベルおよび上記所定のレベルのうちの少なくとも一方を電子シャッタのシャッタ速度に基づいて補正し、その補正後の傷レベルが所定レベルを越えていたときに暗電流補正を行なうものであることが好ましい。
【００１６】
暗電流の大きさは、固体撮像素子における露光時間の長短によっても影響を受ける。例えば、電子シャッタのシャッタ速度が２倍（露光時間が半分）になると、暗電流もおよそ半分になる。そこで、電子シャッタのシャッタ速度に基づいて補正された傷レベルが所定レベルを越えていたときに暗電流補正を行なうと、暗電流補正をさらに高精度に行なうことができる。
【００１７】
さらに、上記目的を達成する本発明の撮影装置のうちの第３の撮影装置は、固体撮像素子上に被写体像を結像して画像データを生成する撮影装置において、
上記固体撮像素子の、温度に応じてレベルが変化する傷のレベルを検出する傷レベル検出部と、
上記傷レベル検出部により検出された傷レベルが所定レベルを越えていたときに画像データ上で黒レベル補正を行なう黒レベル補正部とを備えたことを特徴とする。
【００１８】
一般に、固体撮像素子の水平方向における一端（前側）である、黒レベルを規定するための光学的黒領域（Ｏｐｔｉｃａｌ  Ｂｌａｃｋ、以下前ＯＢ部と称する）には、フォトダイドードが設けられている。一方、固体撮像素子の水平方向における他端（後側）である後ＯＢ部にはフォトダイオードは設けられておらず、これら前ＯＢ部と後ＯＢ部とにおける暗電流の差分を補正するための、温度に応じた黒レベル補正が必要とされる。
【００１９】
本発明の第３の撮影装置は、固体撮像素子の、温度に応じてレベルが変化する傷のレベルを検出し、検出された傷レベルが所定レベルを越えていたときに黒レベル補正を行なうものである。このため、上述した特許文献１に提案された、ＣＣＤにサーミスタを取付ける技術を採用した場合と比較し、サーミスタやサーミスタを取付けるための作業工程は不要であり、且つサーミスタそれぞれの特性や取付け精度のバラツキに起因して黒レベル補正の精度がばらつくという問題も解消される。また、高温時にのみ黒レベル黒レベル補正を行なうことにより、不要な黒レベル補正が行なわれることを避けることができる。このため、コストを抑えたまま、温度に応じた黒レベル補正を高精度に且つ短時間で行なうことができる。従って、良好な撮影画像が得られるとともに撮影時間を短縮することができる。
【００２０】
ここで、上記黒レベル補正部は、上記傷レベル検出部で検出された傷レベルおよび上記所定のレベルのうちの少なくとも一方を電子シャッタのシャッタ速度に基づいて補正し、その補正後の傷レベルが所定レベルを越えていたときに黒レベル補正を行なうものであることが好ましい。
【００２１】
前ＯＢ部と後ＯＢ部とにおける暗電流の差分は、固体撮像素子における露光時間の長短によっても影響を受ける。そこで、電子シャッタのシャッタ速度に基づいて補正された傷レベルが所定レベルを越えていたときに黒レベル補正を行なうと、黒レベル補正をさらに高精度に行なうことができる。
【発明の効果】
【００２２】
本発明の撮影装置によれば、コストを抑えたまま、固体撮像素子の欠陥画素に対する補正を高精度に且つ短時間で行なうことができる。
【発明を実施するための最良の形態】
【００２３】
以下、本発明の実施の形態について説明する。
【００２４】
図１は、本発明の第１の撮影装置の一実施形態のデジタルカメラを前面斜め上から見た外観斜視図である。
【００２５】
図１に示すデジタルカメラ１０は、固体撮像素子（以下、ＣＣＤと記述する）上に被写体像を結像して画像データを生成する撮影装置であり、このデジタルカメラ１０の前面中央部には、ズームレンズ１０＿１ａを内部に備えたズーム鏡胴１０＿１が備えられている。また、このデジタルカメラ１０の前面上部には、撮影に同期してフラッシュを発するフラッシュ発光部１０＿２と、フラッシュ発光部１０＿２からのフラッシュの光量を制御するためにそのフラッシュの光量を検出するフラッシュ調光センサ１０＿３と、光学式ファインダを構成する光学式ファインダ対物窓１０＿４１ａとが備えられている。
【００２６】
また、このデジタルカメラ１０の前面左側には、このデジタルカメラ１０を確実に握ることができる形状を有するグリップ１０＿５と、セルフタイマ作動時等に点滅するセルフタイマランプ１０＿６が備えられている。
【００２７】
さらに、このデジタルカメラ１０の上面には、シャッタボタン１０＿８と、各種の設定を行なうためのモードダイヤル１０＿９と、電源ボタン１０＿１０とが備えられている。
【００２８】
図２は、図１に示すデジタルカメラを上から見た外観図である。
【００２９】
このデジタルカメラ１０には、前述したフラッシュ発光部１０＿２，シャッタボタン１０＿８，モードダイヤル１０＿９，電源ボタン１０＿１０に加えて、このデジタルカメラ１０の上方から下方に向けて設けられた斜面部に、フラッシュ発光部１０＿２をポップアップするためのポップアップボタン１０＿１２が備えられている。また、モードダイヤル１０＿９には、オートモードを示す文字ＡＵＴＯ、プログラムオートモードを示すＰ、シャッタスピード優先オートモードを示すＳ、絞り優先オートモードを示すＡ、マニュアルモードを示すＭ、動画モードを示す絵柄、および４つのシーンポジション（夜景、スポーツ、風景、人物のシーンポジション）を示す４つの絵柄が印刷されている。このモードダイヤル１０＿９を回転操作することにより、所望のモードに設定することができる。ここで、各モードについて簡単に説明する。
【００３０】
オートモード（ＡＵＴＯ）は、カメラ側で露出やホワイトバランス等全てを制御するためのモードである。プログラムオートモード（Ｐ）は、シャッタスピードと絞りを自動的に設定するためのモードである。シャッタスピード優先オートモード（Ｓ）は、シャッタスピードを優先的に設定するためのモードである。絞り優先オートモード（Ａ）は、絞りを優先的に設定するためのモードである。マニュアルモード（Ｍ）は、シャッタスピードと絞りを自由に設定するためのモードである。マニュアルモード（Ｍ）の隣りの絵柄で示される動画モードは、動画撮影用のモードである。
【００３１】
また、この動画モードから見て時計回りに４つの撮影シーン（夜景、スポーツ、風景、人物）を選択するための４つのシーンポジションモードがある。
【００３２】
夜景用のシーンポジションモードは、夕景や夜景などの雰囲気を活かした撮影に好適なモードである。スポーツ用のシーンポジションモードは、スポーツシーンをはじめ、動体撮影に好適なモードである。風景用のシーンポジションモードは、建物や山等、昼間の風景撮影に好適なモードである。人物用のシーンポジションモードは、肌色をより美しく写し出すことができるポートレート撮影に好適なモードである。
【００３３】
図３は、図１に示すデジタルカメラを背面から見た外観図である。
【００３４】
図３に示すデジタルカメラ１０の背面上部には、光学式ファインダを構成する光学式ファインダ接眼窓１０＿４２ｂと、露出補正ボタン１０＿２４と、押下することにより広角側（ワイド側）にズームアップする広角ズームボタン１０＿２５と、押下することにより望遠側（テレ側）にズームアップする望遠ズームボタン１０＿２６と、撮影モード側１０＿２７ａと再生モード側１０＿２７ｂとに切り換えるモードスイッチ１０＿２７とが備えられている。
【００３５】
また、モードスイッチ１０＿２７の下側には、フォトモードボタン１０＿３０と、十字ボタン１０＿３１と、メニュー／ＯＫボタン１０＿３２と、ＤＩＳＰ／ＢＡＣＫボタン１０＿３３とが備えられている。さらに、デジタルカメラ１０の背面中央部には、液晶モニタ１０＿３４が備えられている。
【００３６】
フォトモードボタン１０＿３０は、ピクセル数，感度，色味，プリント枚数等を設定するためのボタンである。
【００３７】
十字ボタン１０＿３１は、液晶モニタ１０＿３４上にメニュー画面などが表示された場合には、その十字キー１０＿３１の上ボタン１０＿３１ａ、下ボタン１０＿３１ｂ、左ボタン１０＿３１ｃ、右ボタン１０＿３１ｄの４つのボタンを操作することによってメニューの選択を行なうことができる。また、左ボタン１０＿３１ｃは、マクロ撮影を行なうか否かを切り換えるためのボタンでもあり、一度押下するとマクロ撮影モードとなり、再度押下するとマクロ撮影モードが解除される。さらに、右ボタン１０＿３１ｄは、フラッシュボタンの役割を担うボタンでもあり、押下する毎に、オートフラッシュ→赤目低減フラッシュ→強制フラッシュ→フラッシュ禁止→スローシンクロ→オートフラッシュというようにフラッシュの状態を繰り返し切り換えるためのボタンでもある。
【００３８】
メニュー／ＯＫボタン１０＿３２は、撮影時や再生時における各種のメニューを表示したり、選択されたメニューを決定するためのボタンである。
【００３９】
ＤＩＳＰ／ＢＡＣＫボタン１０＿３３は、ＤＩＳＰボタンおよびＢＡＣＫボタン双方の役割を担うボタンである。ＤＩＳＰボタンの役割の場合は、液晶モニタ１０＿３４に表示された画面の状態を切り換えるためのボタンとなり、例えば撮影時に液晶モニタ１０＿３４の表示をオン，オフしたり、再生時に文字表示をオン，オフしたりする。一方、ＢＡＣＫボタンの役割の場合は、ＭＥＮＵ／ＯＫボタン１０＿３２等による操作状態を１つ前に戻したり取り消したりするためのボタンとなる。
【００４０】
液晶モニタ１０＿３４は、このデジタルカメラ１０で被写体光を捉えて生成された画像データに基づく画像、およびメッセージ表示用の文字データに基づくメッセージを表示する。
【００４１】
図４は、図１に示すデジタルカメラを下から見た外観図である。
【００４２】
デジタルカメラ１０には電池カバー１０＿１３が備えられており、この図４には電池カバー１０＿１３が開放された状態のデジタルカメラ１０が示されている。
【００４３】
また、デジタルカメラ１０には、電池１００が挿入される電池挿入部１０＿１４が設けられている。さらに、このデジタルカメラ１０には、記録メディア１０＿５４が挿入される記録メディアスロット１０＿１５が設けられている。また、このデジタルカメラ１０には、三脚用ねじ穴１０＿１６も設けられている。
【００４４】
図５は、図１に示すデジタルカメラの内部構成を示す図である。
【００４５】
このデジタルカメラ１０には、撮影光学系を構成するズームレンズ１０＿１ａおよびフォーカスレンズ１０＿１ｂと、それらズームレンズ１０＿１ａ，フォーカスレンズ１０＿１ｂを駆動するズームモータ１１１，フォーカスモータ１１２と、それらのモータを駆動するためのモータドライバ１２８とが備えられている。
【００４６】
また、デジタルカメラ１０には、ＣＣＤ１１４と、タイミングジェネレータ１１５と、ＭＰＵ（Ｍｉｃｒｏ  Ｐｒｏｃｅｓｓｏｒ  Ｕｎｉｔ）１１６とが備えられている。
【００４７】
ＣＣＤ１１４は、ズームレンズ１０＿１ａおよびフォーカスレンズ１０＿１ｂを経由してきた被写体光を捉える固体撮像素子である。このＣＣＤ１１４には、入射された被写体光を電気信号である画像信号に変換するフォトダイオード等の光電変換素子が多数個備えられている。
【００４８】
タイミングジェネレータ１１５は、ＭＰＵ１１６からの指示により所定のタイミングでＣＣＤ１１４を駆動する。これにより、露光時間が調節されて電子シャッタの速度制御が行なわれるとともに、ＣＣＤ１１４に入射されている被写体光が所定のフレームレートで光電変換され、そのＣＣＤ１１４からアナログ画像信号として出力される。
【００４９】
ＭＰＵ１１６は、このデジタルカメラ１０全体の制御を行なう。具体的には、ＭＰＵ１１６にはＲＯＭ１１６ａが内蔵されており、その内蔵されたＲＯＭ１１６ａのプログラムの手順にしたがってデジタルカメラ１０全体の動作が制御される。
【００５０】
さらに、デジタルカメラ１０には、ＣＣＤ１１４から出力されたアナログ画像信号の雑音を低減する処理等を行なうＣＤＳＡＭＰ１１７と、その処理等が施されたアナログ画像信号をデジタル画像信号にアナログ／デジタル変換するＡ／Ｄ変換部１１８と、Ａ／Ｄ変換部１１８でデジタル画像信号に変換されたＲＧＢからなる画像データをデータバスを介して、メモリであるＳＤＲＡＭ１２５に転送する画像入力コントローラ１１９とが備えられている。
【００５１】
また、デジタルカメラ１０には、ＳＤＲＡＭ１２５の画像データを読み出させ、ＹＣ信号への変換を行なう画像処理プロセスを実行する画像信号処理部１２０と、画像処理プロセスが終了した時点でＪＰＥＧプロセスを実行して画像データの圧縮を行なう圧縮処理部１２１と、画像データをビデオ信号に変換して前述した液晶モニタ１０＿３４に導くためのＶｉｄｅｏ／ＬＣＤエンコーダ１２２とが備えられている。
【００５２】
さらに、デジタルカメラ１０には、画像のピント情報を検出するＡＦ検出部１２３と、画像の輝度情報と白色バランス情報を検出するＡＥ＆ＡＷＢ検出部１２４と、作業領域用のメモリとしても使用されるＳＤＲＡＭ１２５と、Ａ領域，Ｂ領域を有する表示用のバッファとしてのＶＲＡＭ１２６と、画像データを前述した記録メディア１０＿５４に記憶するための制御を行なうメディアコントローラ１２７とが備えられている。
【００５３】
また、デジタルカメラ１０には、ＣＣＤ１１４の、温度に応じてレベルが変化する傷のレベルを検出する傷レベル検出部１３１と、傷レベル検出部１３１により検出された傷レベルが所定レベルを越えていたときに画像データの傷補正を行なう傷補正部１３２とが備えられている。ここで、傷補正部１３２は、傷レベル検出部１３１で検出された傷レベルを電子シャッタのシャッタ速度に基づいて補正し、その補正後の傷レベルが所定レベルを越えていたときに画像データの傷補正を行なう。
【００５４】
さらに、デジタルカメラ１０にはＥ2ＰＲＯＭ１３３が備えられており、上記傷補正部１３２は、ＣＣＤ１１４上の所定の座標の受光センサの所定位置での傷レベルに応じた値をＥ2ＰＲＯＭ１３３に記憶しておき、傷レベル検出部１３１で検出された傷レベルが、その値に応じた所定レベルを越えていたときに画像データの傷補正を行なうものである。具体的には、Ｅ2ＰＲＯＭ１３３には、常温時における傷レベルを高温時における傷レベルに換算した値が記憶され、温度に応じて検出された傷レベルが、あらかじめ記憶されている値に応じた所定レベルを越えていたときに、画像データの傷補正を行なう。
【００５５】
尚、この図５には、前述したモードダイヤル１０＿９，ポップアップボタン１０＿１２，露出補正ボタン１０＿２４，モードスイッチ１０＿２７，フォトモードボタン１０＿３０，十字ボタン１０＿３１，メニュー／ＯＫボタン１０＿３２，ＤＩＳＰ／ＢＡＣＫボタン１０＿３３からなる操作部１０＿１００が示されている。
【００５６】
ここで、本実施形態の特徴である画像データの傷補正については後述することとし、先ず、このデジタルカメラ１０の概略動作について説明する。
【００５７】
このデジタルカメラ１０の動作は統括的にＭＰＵ１１６により制御される。このＭＰＵ１１６内にはＲＯＭ１１６ａが内蔵されており、その内蔵されたＲＯＭ１１６ａ内にプログラムが格納されている。このプログラムの手順にしたがってデジタルカメラ１０全体の動作がＭＰＵ１１６により制御される。また、ＳＤＲＡＭ１２５にはＲＯＭ１１６ａに記述されているプログラムの手順にしたがってＭＰＵ１１６がこのデジタルカメラ１０全体を制御しているときに、処理中の画像データが一時的に格納されたりする。
【００５８】
また、表示用のバッファとしてのＶＲＡＭ１２６にはスルー画像を表わす画像データがＡ領域、Ｂ領域に順次記憶され、それらの領域にある画像データが交互にＶｉｄｅｏ／ＬＣＤエンコーダ１２２に供給され画像データに基づく画像が順次切り換えられてスルー画像として液晶モニタ１０＿３４上に表示される。
【００５９】
先ず、モードダイヤル１０＿９（図２参照）がオートモード（ＡＵＴＯ）に切り替えられて撮影が行なわれた場合の画像データの流れを、図５を参照して説明する。
【００６０】
モードダイヤル１０＿９がオートモード（ＡＵＴＯ）に切り替えられると、ＭＰＵ１１６は撮影光学系を経由した被写体光をＣＣＤ１１４で捉え、そのＣＣＤ１１４で生成される画像データを所定の間隔ごとにＣＤＳＡＭＰ１１７側へ出力させ、Ａ／Ｄ変換部１１８，画像入力コントローラ１１９，画像信号処理部１２０で表示可能な画像データに変換してスルー画像を液晶モニタ１０＿３４の画面上に表示させる。そのスルー画像に基づいて任意にフレーミングが行なわれ、ＡＦ検出部１２３が絶えずフォーカスレンズ１０＿１ｃを前後させ合焦点検出を行なってフレーミングの中央に焦点のあった画像をＣＣＤ１１４に結像させる。このときにはＡＥ＆ＡＷＢ検出部１２４によって被写界輝度が検出され、その検出結果に基づいて絞りが設定されたり、ホワイトバランス調整のため、Ｒ、Ｇ、Ｂの各色信号のゲインが調整されたりする。このように被写界輝度に応じて露出が調節され焦点のあった画像を表わす画像データを、タイミングジェネレータ１１５からのタイミング信号に応じて所定の間隔ごとにＣＤＳＡＭＰ１１７へ出力させ、後段でスルー画像を得ている。撮影者はこのスルー画像を見ながらフレーミングを行ない、シャッタチャンスにレリーズ操作を行なう。
【００６１】
レリーズ操作が行なわれると、ＭＰＵ１１６は、ＣＣＤ１１４にレリーズ操作時の画像を結像させるため、タイミングジェネレータ１１５からタイミング信号を供給させる。このタイミング信号はＣＣＤ１１４に露光開始および露光終了を告げるものでありいわゆるシャッタスピードに相当する。ＭＰＵ１１６はこの露光終了時にＣＣＤ１１４から画像データ（ＲＧＢの光の３原色Ｒ，Ｇ、Ｂからなる画像データ）を出力させ、後段のＣＤＳＡＭＰ１１７に供給させる。さらに、ＣＤＳＡＭＰ１１７でそのＣＣＤ１１４から出力された画像データの雑音が低減され、その雑音が低減された画像データがＡ／Ｄ変換部１１８でデジタル信号に変換される。このＡ／Ｄ変換部１１８でデジタル信号に変換されたＲＧＢからなる画像データは、後段の画像入力コントローラ１１９によりデータバスを介してＳＤＲＡＭ１２５に供給され、このＳＤＲＡＭ１２５にＣＣＤ１１４のすべての画素の画像データが記憶される。すべての画素データに対応する画像データがＳＤＲＡＭ１２５に記憶されると、ＭＰＵ１１６が画像信号処理部１２０の画像処理プロセスを起動させ、その画像処理プロセスによってＳＤＲＡＭ１２５の画像データを読み出させ、ＹＣ信号への変換を行なわせる。さらに、この画像信号処理部１２０の画像処理プロセスが終了したことをＭＰＵ１１６が検知すると、ＭＰＵ１１６は圧縮処理部１２１のＪＰＥＧプロセスを起動させ、ＪＰＥＧプロセスによって画像データの圧縮を行なわせる。この圧縮処理部１２１での圧縮が完了したことをＭＰＵ１１６が検知すると、ＭＰＵ１１６は次に記録処理プロセスを起動させ、ＪＰＥＧ圧縮された画像データを、メディアコントローラ１２７を介して記録メディア１０＿５４に記録させる。以上がオートモードのときの撮影データの流れである。
【００６２】
以降、モードダイヤル１０＿９がマニュアルモードに切り替えられたときの画像データの処理について説明する。
【００６３】
モードダイヤル１０９がマニュアルモード（Ｍ）に切り替えられると、撮影条件が手動により設定されて撮影が行なわれる。このデジタルカメラ１０においては撮影条件の一つであるフォーカスポイントも自在に設定することができるが、ここでは撮影条件の１つとして露出条件を挙げて以降説明する。
【００６４】
モードダイヤル１０＿９がマニュアルモード（Ｍ）に切り替えられると、スルー画像とともに露出補正値、シャープネス、フラッシュ光量などの補正を行なうための表示画面が液晶モニタ１０＿３４に表示される。この表示画面の中の選択項目、例えば露出値の切り替えを十字キー１０＿３１により行なうことができる。
【００６５】
このようにマニュアルモードのときには、撮影者が任意に撮影条件の設定を行なえるようになっており、これらの撮影条件下で撮影が行なわれる。
【００６６】
このようなマニュアルモードで撮影が行なわれるときには、その設定された撮影条件によって露光アンダーであろうが、露光オーバーであろうがそのまま撮影が行なわれる。例えば、この露光アンダー、露光オーバーは、ＡＥ＆ＡＷＢ検出部１２４の検出結果に基づきＭＰＵ１１６が判定する。
【００６７】
次に、画像データの傷補正について図６を参照して説明する。
【００６８】
図６は、図５に示すＣＣＤの画素欠陥である温度白傷を説明するための図である。
【００６９】
図６には、ＣＣＤ１１４を構成するフォトダイオード１１４ａの一部が模式的に示されている。このフォトダイオード１１４ａは、欠損部１１４ａ１を有する。このため、この欠損部１１４ａ１を介して電子ｅが漏れ込み、これにより温度白傷が発生する。この温度白傷は、ＣＣＤ１１４の構造的な欠陥であるため必ず同じ位置に発生する。一般的に、温度が８℃上昇すると、一定時間内に漏れこむ電子ｅの数は２倍となる。
【００７０】
このデジタルカメラ１０は、ＣＣＤ１１４の、温度に応じてレベルが変化する傷のレベルを傷レベル検出部１３１で検出し、検出された傷レベルが所定レベルを越えていたときに画像データの傷補正を傷補正部１３２で行なう。このようにすることにより、前述した特許文献１に提案された、ＣＣＤにサーミスタを取付ける技術と比較し、サーミスタやサーミスタを取付けるための作業工程は不要であり、且つサーミスタそれぞれの特性や取付け精度のバラツキに起因して画像データの傷補正の精度がばらつくという問題も解消される。また、高温時に欠陥画素となる画素に対してのみ画像データの傷補正が行なわれる。このため、不要な画像データの傷補正が行なわれることを避けることができる。このようにすることにより、コストを抑えたまま、画像データの、温度に応じた傷補正を高精度に且つ短時間で行なうことができる。従って、良好な撮影画像が得られるとともに撮影時間を短縮することができる。
【００７１】
また、傷補正部１３２は、傷レベル検出部１３１で検出された傷レベルを電子シャッタのシャッタ速度に基づいて補正し、その補正後の傷レベルが所定レベルを越えていたときに画像データの傷補正を行なうものであるため、画像データの傷補正のさらなる高精度化が図られている。
【００７２】
さらに、ＣＣＤ１１４上の所定の座標の受光センサの所定位置での傷レベルに応じた値である、常温時における傷レベルを高温時における傷レベルに換算した値をＥ2ＰＲＯＭ１３３に記憶しておき、温度に応じて検出された傷レベルが、Ｅ2ＰＲＯＭ１３３に記憶されている値に応じた所定レベルを越えていたときに画像データの傷補正を行なうものであるため、画像データの、温度に応じた傷補正を行なうための演算を、迅速に且つ簡単に行なうことができる。
【００７３】
尚、画像データの傷補正は、詳細には、一般に行なわれているように、傷のアドレスをメモリ１２５に登録しておき、同じ色の画素データを用いて補正する。補正方法としては、水平方向で一つ前の画素のデータを用いる方法や、周囲の画素（４画素もしくは８画素）のデータの平均を用いる方法等がある。
【００７４】
また、ここでは、傷レベル検出部１３１で検出された傷レベルを電子シャッタのシャッタ速度に基づいて補正する例で説明したが、上記所定レベルを電子シャッタのシャッタ速度に基づいて補正してもよい。
【００７５】
図７は、図５に示すデジタルカメラにおける、画像データの傷補正を含む一連の処理ルーチンのフローチャートである。
【００７６】
デジタルカメラ１０の電源がオンされると、先ず、ステップＳ１において、撮影モードか否かが判定される。撮影モードでないと判定された場合はこのステップＳ１を繰り返し実行する。ここで、撮影モードであると判定された場合はステップＳ２に進む。
【００７７】
ステップＳ２では、シャッタボタンが押下されたか否かが判定される。シャッタボタンが押下されていないと判定された場合はステップＳ１に戻る。一方、シャッタボタンが押下されたと判定された場合はステップＳ３に進む。
【００７８】
ステップＳ３では、撮影画の取り込みを行なってステップＳ４に進む。ステップＳ４では、所定の座標の傷レベルを確認してステップＳ５に進む。
【００７９】
ステップＳ５では、傷レベルが所定値以上か否かが判定される。傷レベルが所定値未満であると判定された場合は後述するステップＳ７に進む。一方、傷レベルが所定値以上であると判定された場合はステップＳ６に進む。
【００８０】
ステップＳ６では、傷補正を実施してステップＳ７に進む。ステップＳ７では、撮影画の記録を行なってステップＳ８に進む。
【００８１】
ステップＳ８では、デジタルカメラ１０の電源がオフされたか否かが判定される。電源がオフされていないと判定された場合はステップＳ１に戻る。一方、電源がオフされたと判定された場合はこのフローの処理を終了する。
【００８２】
図８は、本発明の第２の撮影装置の一実施形態のデジタルカメラの内部構成を示す図である。
【００８３】
尚、図８に示すデジタルカメラ２０の外観斜視図は、前述したデジタルカメラ１０の外観斜視図と同じであるため、図示省略する。
【００８４】
図８に示すデジタルカメラ２０の内部構成は、図５に示すデジタルカメラ１０の内部構成と比較し、傷補正部１３２が暗電流補正部２３２に置き換えられている点が異なっている。
【００８５】
暗電流補正部２３２は、傷レベル検出部１３１により検出された傷レベルが所定レベルを越えていたときに暗電流補正を行なうものであり、さらに詳細には、この暗電流補正部２３２は、傷レベル検出部１３１で検出された傷レベルを電子シャッタのシャッタ速度に基づいて補正し、その補正後の傷レベルが所定レベルを越えていたときに暗電流補正を行なうものである。
【００８６】
図９は、暗電流補正を説明するための図である。
【００８７】
図９の左側には、ＣＣＤ１１４の画像信号Ａが示されている。ここで、画像信号Ａには、温度が低い場合に流れる暗電流Ａ１と、温度が高い場合に流れる暗電流Ａ２との双方が示されている。このような暗電流は、ノイズの原因となるので、暗電流補正（オフセット補正）が必要とされる。また、このような暗電流は、温度に依存するとともにＣＣＤ１１４の温度白傷にも依存する。そこで、暗電流補正にあたり、温度に応じた補正が必要とされる。
【００８８】
また、図９の右側には、オフセット補正後におけるＣＣＤ１１４の画像信号Ｂ、およびオフセット補正後におけるＣＣＤ１１４の画像信号Ｃが示されている。ここで、画像信号Ｂは、後から読み出される暗電流の大きさが考慮されておらず、従って画像信号Ｂにはノイズ成分である暗電流Ｂ１が含まれている。一方、画像信号Ｃは、後から読み出される暗電流の大きさが考慮されており、従ってノイズ成分が含まれていない良好な画像信号が得られている。このように、暗電流補正では、最初に読み出される暗電流の大きさと後から読み出される暗電流の大きさとを考慮して補正する必要もある。本実施形態における暗電流補正部２３２では、上述した温度に応じた補正および読出し時間に対する補正が考慮されてなる暗電流補正が行なわれる。
【００８９】
本発明の第２の撮影装置であるデジタルカメラ２０は、ＣＣＤ１１４の、温度に応じてレベルが変化する傷のレベルを傷レベル検出部１３１で検出し、検出された傷レベルが所定レベルを越えていたときに暗電流補正を暗電流補正部２３２で行なうものである。このため、前述した特許文献１に提案された、ＣＣＤにサーミスタを取付ける技術を採用した場合と比較し、サーミスタやサーミスタを取付けるための作業工程は不要であり、且つサーミスタそれぞれの特性や取付け精度のバラツキに起因して暗電流補正の精度がばらつくという問題も解消される。また、高温時にのみ増加する暗電流に対してのみ暗電流補正が行なわれる。このようにすることにより、不要な暗電流補正が行なわれることを避けることができる。このため、コストを抑えたまま、温度および読出し時間に応じた暗電流の補正を高精度に且つ短時間で行なうことができる。従って、良好な撮影画像が得られるとともに撮影時間を短縮することができる。
【００９０】
また、暗電流の大きさは、ＣＣＤ１１４における露光時間の長短によっても影響を受ける。ここで、暗電流補正部２３２は、電子シャッタのシャッタ速度に基づいて補正された傷レベルが所定レベルを越えていたときに暗電流補正を行なうものであるため、暗電流補正のさらなる高精度化が図られている。
【００９１】
尚、ここでは、傷レベル検出部１３１で検出された傷レベルを電子シャッタのシャッタ速度に基づいて補正する例で説明したが、上記所定レベルを電子シャッタのシャッタ速度に基づいて補正してもよい。
【００９２】
さらに、ＣＣＤ１１４上の所定の座標の受光センサの所定位置での傷レベルに応じた値である、常温時における傷レベルを高温時における傷レベルに換算した値をＥ2ＰＲＯＭ１３３に記憶しておき、温度に応じて検出された傷レベルが、Ｅ2ＰＲＯＭ１３３に記憶されている値に応じた所定レベルを越えていたときに暗電流補正を行なう。このため、暗電流の、温度に応じた傷補正を行なうための演算を、迅速に且つ簡単に行なうことができる。
【００９３】
図１０は、図８に示すデジタルカメラにおける、暗電流補正を含む一連の処理ルーチンのフローチャートである。
【００９４】
デジタルカメラ２０の電源がオンされると、先ず、ステップＳ１１において、撮影モードか否かが判定される。撮影モードでないと判定された場合はこのステップＳ１１を繰り返し実行する。撮影モードであると判定された場合はステップＳ１２に進む。
【００９５】
ステップＳ１２では、シャッタボタンが押下されたか否かが判定される。シャッタボタンが押下されていないと判定された場合はステップＳ１１に戻る。一方、シャッタボタンが押下されたと判定された場合はステップＳ１３に進む。
【００９６】
ステップＳ１３では、撮影画の取り込みを行なってステップＳ１４に進む。ステップＳ１４では、所定の座標の傷レベルを確認してステップＳ１５に進む。
【００９７】
ステップＳ１５では、傷レベルが所定値以上か否かが判定される。傷レベルが所定値未満であると判定された場合は後述するステップＳ１７に進む。一方、傷レベルが所定値以上であると判定された場合はステップＳ１６に進む。
【００９８】
ステップＳ１６では、暗電流補正を実施してステップＳ１７に進む。ステップＳ１７では、撮影画の記録を行なってステップＳ１８に進む。
【００９９】
ステップＳ１８では、デジタルカメラ２０の電源がオフされたか否かが判定される。電源がオフされていないと判定された場合はステップＳ１１に戻る。一方、電源がオフされたと判定された場合はこのフローの処理を終了する。
【０１００】
図１１は、本発明の第３の撮影装置の一実施形態のデジタルカメラの内部構成を示す図である。
【０１０１】
尚、図１１に示すデジタルカメラ３０の外観斜視図は、前述したデジタルカメラ１０の外観斜視図と同じであるため、図示省略する。
【０１０２】
図１１に示すデジタルカメラ３０の内部構成は、図５に示すデジタルカメラ１０の内部構成と比較し、傷補正部１３２が黒レベル補正部３３２に置き換えられている点が異なっている。
【０１０３】
黒レベル補正部３３２は、傷レベル検出部１３１により検出された傷レベルが所定レベルを越えていたときに画像データ上で黒レベル補正を行なうものであり、さらに詳細には、この黒レベル補正部３３２は、傷レベル検出部１３１で検出された傷レベルを電子シャッタのシャッタ速度に基づいて補正し、その補正後の傷レベルが所定レベルを越えていたときに、温度に応じた黒レベル補正を行なうものである。
【０１０４】
図１２は、黒レベル補正を説明するための図である。
【０１０５】
図１２には、ＣＣＤ１１４と、そのＣＣＤ１１４を経由して得られたスルー画像を表わす画像データが記憶される表示用のバッファであるＶＲＡＭ１２６が示されている。
【０１０６】
ここで、ＣＣＤ１１４の水平方向における一端（前側）である、黒レベルを規定するための光学的黒領域（Ｏｐｔｉｃａｌ  Ｂｌａｃｋ、以下前ＯＢ部と称する）１１４＿１には、フォトダイドードが設けられている。一方、ＣＣＤ１１４の水平方向における他端（後側）である後ＯＢ部１１４＿２にはフォトダイオードは設けられておらず、これら前ＯＢ部１１４＿１と後ＯＢ部１１４＿２とにおける暗電流の差分を補正するための、温度に応じた黒レベル補正処理が必要とされる。具体的には、ＶＲＡＭ１２６の、前ＯＢ部１１４＿１に対応する領域１２６ａにおける積算値を検出する。また、ＶＲＡＭ１２６の、後ＯＢ部１１４＿２に対応する領域１２６ｂにおける積算値を検出する。さらに、これらの差分を検出し、有効画素部の温度および露光時間による暗電流の増加分を検出して黒レベル補正を行なう。
【０１０７】
本発明の第３の撮影装置であるデジタルカメラ３０は、ＣＣＤ１１４の、温度に応じてレベルが変化する傷のレベルを傷レベル検出部１３１で検出し、検出された傷レベルが所定レベルを越えていたときに黒レベル補正を黒レベル補正部３３２で行なうものである。このため、前述した特許文献１に提案された、ＣＣＤにサーミスタを取付ける技術を採用した場合と比較し、サーミスタやサーミスタを取付けるための作業工程は不要であり、且つサーミスタそれぞれの特性や取付け精度のバラツキに起因して黒レベル補正の精度がばらつくという問題も解消される。また、高温時にのみ増加する黒レベルに対してのみ黒レベル補正が行なわれる。このようにすることにより、不要な黒レベル補正が行なわれることを避けることができる。このため、コストを抑えたまま、温度に応じた黒レベル補正を高精度に且つ短時間で行なうことができる。従って、良好な撮影画像が得られるとともに撮影時間を短縮することができる。
【０１０８】
また、前ＯＢ部１１４＿１と後ＯＢ部１１４＿２とにおける暗電流の差分は、ＣＣＤ１１４における露光時間の長短によっても影響を受ける。ここでは、電子シャッタのシャッタ速度に基づいて補正された傷レベルが所定レベルを越えていたときに黒レベル補正を行なうものであるため、黒レベル補正のさらなる高精度化が図られている。
【０１０９】
尚、ここでは、傷レベル検出部１３１で検出された傷レベルを電子シャッタのシャッタ速度に基づいて補正する例で説明したが、上記所定レベルを電子シャッタのシャッタ速度に基づいて補正してもよい。
【０１１０】
さらに、ＣＣＤ１１４上の所定の座標の受光センサの所定位置での傷レベルに応じた値である、常温時における傷レベルを高温時における傷レベルに換算した値をＥ2ＰＲＯＭ１３３に記憶しておき、温度に応じて検出された傷レベルが、Ｅ2ＰＲＯＭ１３３に記憶されている値に応じた所定レベルを越えていたときに黒レベル補正を行なう。このため、黒レベルの、温度に応じた傷補正を行なうための演算を、迅速に且つ簡単に行なうことができる。
【０１１１】
図１３は、図１１に示すデジタルカメラにおける、黒レベル補正を含む一連の処理ルーチンのフローチャートである。
【０１１２】
デジタルカメラ３０の電源がオンされると、先ず、ステップＳ２１において、撮影モードか否かが判定される。撮影モードでないと判定された場合はこのステップＳ２１を繰り返し実行する。撮影モードであると判定された場合はステップＳ２２に進む。
【０１１３】
ステップＳ１２では、シャッタボタンが押下されたか否かが判定される。シャッタボタンが押下されていないと判定された場合はステップＳ２１に戻る。一方、シャッタボタンが押下されたと判定された場合はステップＳ２３に進む。
【０１１４】
ステップＳ２３では、撮影画の取り込みを行なってステップＳ２４に進む。ステップＳ２４では、所定の座標の傷レベルを確認してステップＳ２５に進む。
【０１１５】
ステップＳ２５では、傷レベルが所定値以上か否かが判定される。傷レベルが所定値未満であると判定された場合は後述するステップＳ２７に進む。一方、傷レベルが所定値以上であると判定された場合はステップＳ２６に進む。
【０１１６】
ステップＳ２６では、黒レベル補正を実施してステップＳ２７に進む。ステップＳ２７では、撮影画の記録を行なってステップＳ２８に進む。
【０１１７】
ステップＳ２８では、デジタルカメラ３０の電源がオフされたか否かが判定される。電源がオフされていないと判定された場合はステップＳ２１に戻る。一方、電源がオフされたと判定された場合はこのフローの処理を終了する。
【０１１８】
尚、上述した実施形態では、デジタルカメラの例で説明したが、これに限られるものではなく、本発明は、携帯電話に搭載されるカメラやビデオカメラ等であってもよい。
【図面の簡単な説明】
【０１１９】
【図１】本発明の第１の撮影装置の一実施形態のデジタルカメラを前面斜め上から見た外観斜視図である。
【図２】図１に示すデジタルカメラを上から見た外観図である。
【図３】図１に示すデジタルカメラを背面から見た外観図である。
【図４】図１に示すデジタルカメラを下から見た外観図である。
【図５】図１に示すデジタルカメラの内部構成を示す図である。
【図６】図５に示すＣＣＤの画素欠陥である温度白傷を説明するための図である。
【図７】図５に示すデジタルカメラにおける、画像データの傷補正を含む一連の処理ルーチンのフローチャートである。
【図８】本発明の第２の撮影装置の一実施形態のデジタルカメラの内部構成を示す図である。
【図９】暗電流補正を説明するための図である。
【図１０】図８に示すデジタルカメラにおける、暗電流補正を含む一連の処理ルーチンのフローチャートである。
【図１１】本発明の第３の撮影装置の一実施形態のデジタルカメラの内部構成を示す図である。
【図１２】黒レベル補正を説明するための図である。
【図１３】図１１に示すデジタルカメラにおける、黒レベル補正を含む一連の処理ルーチンのフローチャートである。
【符号の説明】
【０１２０】
１０，２０，３０  デジタルカメラ
１０＿１  ズーム鏡胴
１０＿１ａ  ズームレンズ
１０＿１ｂ  フォーカスレンズ
１０＿２  フラッシュ発光部
１０＿３  フラッシュ調光センサ
１０＿４  光学式ファインダ
１０＿５  グリップ
１０＿６  セルフタイマランプ
１０＿８  シャッタボタン
１０＿９  モードダイヤル
１０＿１０  電源ボタン
１０＿１２  ポップアップボタン
１０＿１３  電池カバー
１０＿１４  電池挿入部
１０＿１５  記録メディアスロット
１０＿１６  三脚用ねじ穴
１０＿２４  露出補正ボタン
１０＿２５  広角ズームボタン
１０＿２６  望遠ズームボタン
１０＿２７  モードスイッチ
１０＿３０  フォトモードボタン
１０＿３１  十字ボタン
１０＿３１ａ  上ボタン
１０＿３１ｂ  下ボタン
１０＿３１ｃ  左ボタン
１０＿３１ｄ  右ボタン
１０＿３２  メニュー／ＯＫボタン
１０＿３３  ＤＩＳＰ／ＢＡＣＫボタン
１０＿３４  液晶モニタ
１０＿４１ａ  光学式ファインダ対物窓
１０＿４２ｂ  光学式ファインダ接眼窓
１０＿５４  記録メディア
１０＿１００  操作部
１００  電池
１１１  ズームモータ
１１２  フォーカスモータ
１１４  ＣＣＤ
１１４ａ  フォトダイオード
１１４ａ１  欠損部
１１４＿１  前ＯＢ部
１１４＿２  後ＯＢ部
１１５  タイミングジェネレータ
１１６  ＭＰＵ
１１６ａ  ＲＯＭ
１１７  ＣＤＳＡＭＰ
１１８  Ａ／Ｄ変換部
１１９  画像入力コントローラ
１２０  画像信号処理部
１２１  圧縮処理部
１２２  Ｖｉｄｅｏ／ＬＣＤエンコーダ
１２４  ＡＥ＆ＡＷＢ検出部
１２３  ＡＦ検出部
１２５  メモリ（ＳＤＲＡＭ）
１２６  ＶＲＡＭ
１２６ａ，１２６ｂ  領域
１２７  メディアコントローラ
１２８  モータドライバ
１３１  傷レベル検出部
１３２  傷補正部
１３３  Ｅ2ＰＲＯＭ
２３２  暗電流補正部
３３２  黒レベル補正部
【図１】
2007006103.tif 000003
【図２】
2007006103.tif 000004
【図３】
2007006103.tif 000005
【図４】
2007006103.tif 000006
【図５】
2007006103.tif 000007
【図６】
2007006103.tif 000008
【図７】
2007006103.tif 000009
【図８】
2007006103.tif 000010
【図９】
2007006103.tif 000011
【図１０】
2007006103.tif 000012
【図１１】
2007006103.tif 000013
【図１２】
2007006103.tif 000014
【図１３】
2007006103.tif 000015